(57)【要約】【課題】収納状態においてリモコンが人目につかず、外観が良好であり、外部に露出せず、汚れが生じない厨房装置を提供する。【解決手段】開閉自在に設けられた前板２１の上部に、上方に向かって開口した凹部を有するリモコン収納部２７が設けられ、リモコン１９がリモコン収納部に収納自在とされている。【選択図】図１
2008048943.tif 000002
【特許請求の範囲】
【請求項１】
開閉自在に設けられた前板の上部に、上方に向かって開口した凹部を有するリモコン収納部が設けられ、リモコンがリモコン収納部に収納自在とされていることを特徴とする厨房装置。
【請求項２】
前板はシンク下のスペースを開閉することを特徴とする請求項１に記載の厨房装置。
【請求項３】
リモコン収納部の前面は前板と面一に配置され、リモコン収納部の後端部は前板の後方側に突出していることを特徴とする請求項１または２に記載の厨房装置。
【請求項４】
前板は下端に回動軸を有し、前後に回動して開閉することを特徴とする請求項１ないし３いずれか一項に記載の厨房装置。
【請求項５】
リモコン収納部の後端部に水受け部が設けられていることを特徴とする請求項１ないし４いずれか一項に記載の厨房装置。
【請求項６】
リモコンの信号送信部は、前板を開けた状態において厨房装置の上方に配設された吊戸棚に向かうように、ハウジングに斜めに設けられていることを特徴とする請求項１ないし５いずれか一項に記載の厨房装置。
【発明の詳細な説明】
【技術分野】
【０００１】
本発明は、厨房装置に関する。
【背景技術】
【０００２】
厨房装置の上方には、照明をはじめ、電動昇降式の吊戸棚やレンジフード等の各種電気機器が配設される。これらの電気機器は、リモコンによる手元操作が可能とされ、操作性が高められている。リモコンは、たとえば厨房装置に備えた収納部や引き出し等にしまわれ、必要なときに取り出して使われる。だが、リモコンについては、しまい忘れや紛失等の問題が常にあり、そこで、本出願人は、その問題を解決するために、レンジフード操作用リモコン発信装置を組み込んだ台所用キッチン装置をこれまでに提案している（特許文献１）。
【０００３】
上記レンジフード操作用リモコン発信装置を組み込んだ台所用キッチン装置では、キャビネットの上部にガスレンジを組み込んだ場合に生じるガスレンジの側部の空所にホルダー部材を内装して取り付け、ホルダー部材にレンジフードを操作するリモコン発信装置を着脱自在に取り付けている。こうして、キャビネットの上部に組み込んだ場合に生じるガスレンジの側部の空所を有効利用しながら、リモコン発信装置の紛失を防止し、かつリモコン発信装置が邪魔にならないようにしている。
【特許文献１】特開２０００−２７４７６１号公報
【発明の開示】
【発明が解決しようとする課題】
【０００４】
その一方で、上記レンジフード操作用リモコン発信装置を組み込んだ台所用キッチン装置には、リモコン発信装置はキャビネットの表面部に取り付けられて収納されるので、見栄えが良好であるとはいいがたく、また、リモコン発信装置が、外部に露出しているので汚れやすいという改善点が見出される。
【０００５】
本発明は、以上の通りの事情に鑑みてなされたものであり、収納状態においてリモコンが人目につかず、外観が良好であり、外部に露出せず、汚れが生じない厨房装置を提供することを課題としている。
【課題を解決するための手段】
【０００６】
本発明の厨房装置は、上記の課題を解決するために、以下のことを特徴としている。
【０００７】
第１に、開閉自在に設けられた前板の上部に、上方に向かって開口した凹部を有するリモコン収納部が設けられ、リモコンがリモコン収納部に収納自在とされている。
【０００８】
第２に、上記において、前板はシンク下のスペースを開閉する。
【０００９】
第３に、上記において、リモコン収納部の前面は前板と面一に配置され、リモコン収納部の後端部は前板の後方側に突出している。
【００１０】
第４に、上記において、前板は下端に回動軸を有し、前後に回動して開閉する。
【００１１】
第５に、上記において、リモコン収納部の後端部に水受け部が設けられている。
【００１２】
第６に、上記において、リモコンの信号送信部は、前板を開けた状態において厨房装置の上方に配設された吊戸棚に向かうように、ハウジングに斜めに設けられている。
【発明の効果】
【００１３】
上記第１の発明によれば、リモコンを開閉自在な前板の上部に設けられたリモコン収納部に収納することができ、収納時に前板を閉じればリモコンは露出せず、厨房装置内に置かれるので、収納状態においてリモコンは人目につかず、外観が良好となる。すっきりした外観となる。また、リモコンは汚れにくくなる。さらに、リモコンは、リモコン収納部から取り出すだけでなく、リモコン収納部に収めた状態においても前板を開ければ操作することができる。
【００１４】
上記第２の発明によれば、上記の発明の効果に加え、厨房装置では通常使用しないシンク下のスペースをリモコン収納に利用することができ、シンク下のスペースを有効に利用することができる。
【００１５】
上記第３の発明によれば、上記の発明の効果に加え、前板の厚さ分をリモコン収納に有効に利用することができ、リモコン収納部の厨房装置での収まりが良く、意匠性に優れる。また、リモコン収納部が厨房装置の前側に配置されるので、リモコンの操作がしやすい。
【００１６】
上記第４の発明によれば、上記の効果に加え、前板の開閉を簡易な構造で実現することができる。
【００１７】
上記第５の発明によれば、上記の効果に加え、前板を開いたときにカウンターの前端縁を伝って滴る水がシンク下のスペースに浸入するのを防止することができる。
【００１８】
上記第６の発明によれば、上記の効果に加え、リモコンのリモコン収納部に収めた状態における通信性能を向上させることができる。
【発明を実施するための最良の形態】
【００１９】
図１は、本発明の厨房装置の一実施形態を示した斜視図である。図２、図３は、それぞれ、図１に示した厨房装置におけるシンク下のスペースを手前側と奥側とから示した要部斜視図である。図４は、図１に示した厨房装置におけるリモコン収納部周辺を示した要部断面図である。
【００２０】
厨房装置１は、図１に示したように、上端部に、横長のカウンター２を備えるとともに、カラン３が設けられたシンク４およびガスレンジ、電磁調理器等の加熱調理機器５を備えている。カウンター２の下部には、引き出し等の収納部６を備えている。また、図１に示した厨房装置１は、椅子７を備えてもおり、洗浄作業等を椅子７に座って行えるようにしている。椅子７は、シンク４の下の収納スペース８に収納することができ、収納状態では厨房装置１として一体感のある外観を形成する。
【００２１】
厨房装置１の後部上方には吊戸棚９およびレンジフード１０が設置されている。吊戸棚９は下方に開口する箱体１１を備え、食器、調理用具等を収納する収納棚１２が箱体１１に対して昇降自在に配設されている。収納棚１２は、下降時には、作業者の手の届く位置に配置され、シンク４で洗い、すすいだ後の食器、調理用具等を収納することができる。収納棚１２に収納された食器、調理用具等は、収納棚１２の上昇によって箱体１１の内部にしまうことができる。収納棚１２の昇降は電動式である。
【００２２】
収納棚１２には、洗いすすいだ後の水に濡れた食器、調理用具等をそのまま収納することができるように、高さ方向の中ほどに網棚１３が収納棚１２の左右の両側板１４間に架設され、底部に排水部１５が設けられている。排水部１５は、上部に、上下に貫通する複数の孔１６が格子状に配置された孔あきプレート１７を有している。孔あきプレート１７および網棚１３に載せられた食器、調理用具等から滴る水は、孔あきプレート１７の孔１６を通じて排水部１５に導かれる。排水部１５には、前方への引き出しが自在とされた水受けトレー１８が設けられている。水受けトレー１８は上方に開口しており、排水部１５の下方に移動する水を受け、一定量溜めることができるようになっている。水受けトレー１８に溜まった水は、水受けトレー１８を排水部１５から引き出し、取り外すことによって、シンク４に排出することができる。
【００２３】
また、吊戸棚９は、カウンター２を照らし出す照明を備えてもいる。
【００２４】
レンジフード１０は、加熱調理機器５の上方に設置されている。
【００２５】
そして、厨房装置１は、吊戸棚９の収納棚１２の電動昇降および照明を手元で操作するリモコン１９を図２、図３および図４に示したシンク４下のスペース２０に収納することができるようになっている。
【００２６】
シンク４下のスペース２０には、収納部６の前板と面一に配置される前板２１が設けられ、下端においてヒンジ２２を介して厨房装置１の駆体２３に連結している。したがって、前板２１は、ヒンジ２２により形成される回動軸を有し、前後に回動してシンク４下のスペース２０を開閉自在としている。前板２１の開閉が簡易な構造により実現されている。
【００２７】
また、前板２１にはプッシュ式の開閉機構が採用されている。すなわち、図２および図３に示したように、ラッチ２４、バネ２５およびダンパー２６が設けられている。ラッチ２４は、前板２１を後方へ押すことによりロックが解除されるようになっている。バネ２５は、前板２１を前方へ押し、開く方向に付勢している。ダンパー２６は、バネ２５の弾性力によって前板２１が勢いよく開かないように前板２１を閉じる方向に付勢し、緩衝している。したがって、前板２１をわずかに後方へ押すと、ラッチ２４のロックが解除され、バネ２５の弾性力とダンパー２６の緩衝力との差分の力を受けて前板２１はゆっくりと前方へ回動して開く。一方、前板２１を後方に押し戻し、ラッチ２４をロックさせると、前板２１は直立し、閉じる。このように、取っ手を取り付けなくとも前板２１の開閉はスムーズに行われる。
【００２８】
以上の前板２１の上木口面上にリモコン収納部２７が設けられている。リモコン収納部２７は、前板２１の横幅にわたって延び、図４に示したように、断面略コ字型形状の凹部２７ａと下端から下方に延設された垂直板部２７ｂとを有する。リモコン収納部２７を前板２１の上木口面に載せ、前面を前板２１の前面と面一に配置し、垂直板部２７ｂを前板２１の上端部裏面に当接させ、垂直板部２７ｂに形成された孔２８を通じてビス２９を前板２１にねじ込むことにより、リモコン収納部２７が前板２１に固定される。リモコン収納部２７の後端部は前板２１の後方側に突出する。リモコン収納部２７は、前板２１の厚さ分を有効に利用して前板２１に取り付けられており、厨房装置１において収まりが良好であり、意匠性に優れている。また、リモコン１９は、リモコン収納部２７の凹部２７ａに横向きにして収納される。したがって、収納されたリモコン１９は厨房装置１の前側に位置し、図２および図３に示したように、前板２１の回動角度を余り大きくしなくともリモコン１９を容易に取り出して使用し、また、リモコン収納部２７に収納することができる。操作性に優れている。
【００２９】
リモコン１９の収納は、次のようにして行われている。リモコン収納部２７の凹部２７ａには、前側裏面および左右両側裏面にリブ３０が形成され、後端部にリブ３０と同じ高さで段部３１が形成されている。凹部２７ａ内に、上端外周部に係合片３２を有し、断面略コ字型形状でリモコン１９のハウジング１９ａの外形形状に略等しい形状を有するホルダー３３が、係合片３２をリブ３０および段部３１に係合させて取り付けられる。そして、ホルダー３３内にリモコン１９が挿入され、ハウジング１９ａがホルダー３３と係合してリモコン１９がリモコン収納部２７に横向きに収納される。
【００３０】
なお、ホルダー３３の内底面には上方に突出するリブ３４が設けられ、リモコン１９とホルダー３３との間にわずかな隙間が形成されるようにしている。
【００３１】
このように、図１〜図４に示した厨房装置１では、リモコン１９を開閉自在な前板２１の上部に設けられたリモコン収納部２７にいわゆるカンガルーポケット式で収納することができ、収納時に前板２１を閉じればリモコン１９は露出せず、厨房装置１内に置かれるので、収納状態においてリモコン１９は人目につかず、外観が良好となる。すっきりした外観となる。また、リモコン１９は汚れにくくなる。しかも、厨房装置１では通常使用しないシンク４下のスペース２０をリモコン１９の収納に利用することができ、シンク４下のスペース２０を有効に利用することができる。
【００３２】
さらに、リモコン１９は、リモコン収納部２７から取り出すだけでなく、リモコン収納部２７に収めた状態においても前板２１を開ければ操作することができる。この場合、図５に示したように、リモコン１９の信号送信部３５が、前板２１を開けた状態において、図１に示した厨房装置１の上方に配設された吊戸棚９に向かうように、基板３６をハウジング１９ａに斜めに設けることができる。リモコン１９のリモコン収納部２７に収めた状態における通信性能が向上し、リモコン１９をリモコン収納部２７から取り外さずに、リモコン１９に設けられた上下・照明・乾燥等のスイッチ３７を押し、吊戸棚９の作動および停止ならびに照明の点灯および消灯を行うことができる。
【００３３】
また、図１〜図４に示した厨房装置１では、リモコン収納部２７の後端部の段部３１から水平に延設され、後端部において上方に折れ曲がった水受け部３８が設けられている。水受け部３８は、図５に示したように、前板２１が開いたときにカウンター２の前端縁付近に位置し、カウンター２の前端縁を伝って滴る水を受け、水がシンク４下のスペース２０に浸入するのを防止する。受けた水は拭き取ることにより除去することができる。また、水受け部３８で受けた水は、図４に示したリモコン収納部２７の後端部の段部３１近くに溜まる。ホルダー３３の上端部３９は係合片３２より上方に位置するため、水がホルダー３３の内部に浸入しにくくなっている。万一浸入したとしても、リモコン１９は、ホルダー３３の内底面のリブ３４の上に載っており、リモコン１９とホルダー３３の内底面との間には隙間があるため、リモコン１９が水濡れする危険性はほとんどない。
【００３４】
なお、図１〜図５に示したように、前板２１の横幅にわたって延びるリモコン収納部２７の左右両端には端面カバー４０が設けられている。端面カバー４０は、隣接する収納部６との間の隙間を消失させて水や埃の浸入を防止するとともに、前板２１を閉じる際に物を挟まないようにしている。
【００３５】
また、図１〜図３に示した厨房装置１では、２個のリモコン１９の収納が可能となっているが、リモコン収納部２７で収納するリモコン１９の数は特に制限はない。操作する電気機器の台数や厨房装置１の大きさ等に応じて適宜な数とすることができる。１個または３個以上も可能である。
【００３６】
図６は、本発明の厨房装置の別の実施形態を示した要部断面図である。
【００３７】
図６に示した厨房装置１において図１〜図５に示した厨房装置１と共通する部分には同一の符号を付し、その説明を省略する。
【００３８】
図６に示した厨房装置１では、リモコン収納部２７が前板２１の上端裏面に配設されている。垂直板部２７ｂは、リモコン収納部２７の上端前面と同一平面上に配置されている。凹部２７ａには前後両端部に段部３１が設けられ、ホルダー３３の係合片３２を受けることができるようにしている。このようなリモコン収納部２７は、上端前面および垂直板部２７ｂを前板２１の上端部裏面に当接させ、前面上端が前板２１の上木口面と面一となるように配置し、図４に示したようなビス２９によって取り付けられる。ビス２９による固定を可能とするために、リモコン収納部２７の上端前面部および垂直板部２７ｂには孔を形成しておく。
【００３９】
このようにリモコン収納部２７を前板２１の上端部裏面に配設しても、リモコン１９を開閉自在な前板２１の上部に設けられたリモコン収納部２７にいわゆるカンガルーポケット式で収納することができる。収納時に前板２１を閉じればリモコン１９は露出せず、厨房装置１内に置かれるので、収納状態においてリモコン１９は人目につかず、外観が良好となる。すっきりした外観となる。また、リモコン１９は汚れにくくなる。しかも、厨房装置１では通常使用しないシンク４下のスペース２０をリモコン１９の収納に利用することができ、シンク４下のスペース２０を有効に利用することができる。
【００４０】
一方、リモコン１９を使用する際には、図７に示したように、図１〜５に示した厨房装置１に比べ、前板２１の回動角度をやや大きめにしなければならないが、それでもリモコン１９の使用は容易であり、特に問題はない。また、リモコン１９は、リモコン収納部２７から取り出すだけでなく、リモコン収納部２７に収めた状態においても前板２１を開ければ操作することができる。この場合、図５に示したリモコン１９と同様に、リモコン１９の信号送信部３５が、前板２１を開けた状態において、図１に示した厨房装置１の上方に配設された吊戸棚９に向かうように、基板３６をハウジング１９ａに斜めに設けることができる。リモコン１９のリモコン収納部２７に収めた状態における通信性能が向上し、リモコン１９をリモコン収納部２７から取り外さずに、リモコン１９に設けられた上下・照明・乾燥等のスイッチ３７を押し、吊戸棚９の作動および停止ならびに照明の点灯および消灯を行うことができる。
【００４１】
なお、本発明の厨房装置１のリモコン収納部２７に収納するリモコン１９は、吊戸棚９の収納棚１２の昇降および照明の点灯・消灯を行うものばかりでなく、レンジフード１０の作動・停止を行うものとすることもできる。レンジフード１０用のリモコン１９をリモコン収納部２７に収納することができる。
【図面の簡単な説明】
【００４２】
【図１】本発明の厨房装置の一実施形態を示した斜視図である。
【図２】図１に示した厨房装置におけるシンク下のスペースを手前側から示した要部斜視図である。
【図３】図１に示した厨房装置におけるシンク下のスペースを奥側から示した要部斜視図である。
【図４】図１に示した厨房装置におけるリモコン収納部周辺を示した要部断面図である。
【図５】図１に示した厨房装置においてリモコンを使用する際のリモコン収納部周辺を示した要部断面図である。
【図６】本発明の厨房装置の別の実施形態を示した要部断面図である。
【図７】図６に示した厨房装置においてリモコンを使用する際のリモコン収納部周辺を示した要部断面図である。
【符号の説明】
【００４３】
１  厨房装置
９  吊戸棚
１９  リモコン
１９ａ  ハウジング
２０  シンク下のスペース
２１  前板
２７  リモコン収納部
２７ａ  凹部
３５  信号送信部
３８  水受け部
【図４】
2008048943.tif 000003
【図５】
2008048943.tif 000004
【図１】
2008048943.tif 000005
【図２】
2008048943.tif 000006
【図３】
2008048943.tif 000007
【図６】
2008048943.tif 000008
【図７】
2008048943.tif 000009